(57)【要約】【課題】携帯端末の傾き情報を用いて、少ないタッチ数で文字入力を行う携帯端末システムにおいて、文字入力確認画面を傾けずに文字入力を行うことが可能な操作性に優れた携帯端末システムを提供する。【解決手段】第１及び第２の携帯端末を互いに無線接続する。第１の携帯端末は、操作入力を行うタッチパネル部と、タッチパネル部と互いに重ねて配置され、画面表示を行う表示部と、文字を選択入力する文字入力部と、を備える。また、第２の携帯端末は、第２の携帯端末の重力方向に対する傾斜量を検出する傾斜量検出部を備える。第１の携帯端末は、傾斜量検出部による傾斜量を受信する。そして、文字入力部は、タッチパネル部における操作入力と、受信した傾斜量との組み合わせにより文字を選択入力する。【選択図】図１
2013251866.tif 000002
【特許請求の範囲】
【請求項１】
互いに無線接続された第１及び第２の携帯端末を備えた携帯端末システムであって、
前記第１の携帯端末は、
操作入力を行うタッチパネル部と、
前記タッチパネル部と互いに重ねて配置され、画面表示を行う表示部と、
文字を選択入力する文字入力部と、
を備え、
前記第２の携帯端末は、
前記第２の携帯端末の重力方向に対する傾斜量を検出する傾斜量検出部、
を備え、
前記第１の携帯端末は、前記傾斜量検出部による前記傾斜量を受信し、
前記文字入力部は、前記タッチパネル部における操作入力と、受信した前記傾斜量との組み合わせにより文字を選択入力する、ことを特徴とする携帯端末システム。
【請求項２】
前記第２の携帯端末の重力方向に対する傾斜量は、
重力方向に対する、前記第２の携帯端末のロール角であることを特徴とする請求項１に記載の携帯端末システム。
【請求項３】
前記第２の携帯端末の重力方向に対する傾斜量は、
水平面に対する、前記第２の携帯端末のピッチ角であることを特徴とする請求項１に記載の携帯端末システム。
【請求項４】
前記文字入力部は、
前記タッチパネル部における操作入力により前記文字の子音を選択入力し、
前記第２の携帯端末の重力方向に対する傾斜量に基づいて前記文字の母音を選択入力する、ことを特徴とする請求項１乃至３のいずれか一に記載の携帯端末システム。
【請求項５】
前記表示部に、複数の子音に対応した複数のキーを表示し、前記タッチパネル部において前記複数のキーから１つのキーを押下することにより、前記文字の子音を選択入力する、ことを特徴とする請求項４に記載の携帯端末システム。
【請求項６】
前記傾斜量検出部は、前記第２の携帯端末の重力方向に対する傾斜量として、
重力方向に対する、前記第２の携帯端末のロール角と、
水平面に対する、前記第２の携帯端末のピッチ角と、を検出し、
前記第１の携帯端末は、前記傾斜量検出部による前記ロール角及び前記ピッチ角を受信し、
前記文字入力部は、前記タッチパネル部における操作入力により前記文字の子音を選択入力し、
前記ロール角に基づいて前記文字の母音を選択入力し、
前記ピッチ角に基づいて前記文字の拗音を選択入力する、ことを特徴とする請求項１に記載の携帯端末システム。
【請求項７】
前記傾斜量検出部は、前記第２の携帯端末の重力方向に対する傾斜量として、
重力方向に対する、前記第２の携帯端末のロール角と、
水平面に対する、前記第２の携帯端末のピッチ角と、を検出し、
前記第１の携帯端末は、前記傾斜量検出部による前記ロール角及び前記ピッチ角を受信し、
前記文字入力部は、前記タッチパネル部における操作入力により前記文字の子音を選択入力し、
前記ピッチ角に基づいて前記文字の母音を選択入力し、
前記ロール角に基づいて前記文字の拗音を選択入力する、ことを特徴とする請求項１に記載の携帯端末システム。
【請求項８】
前記傾斜量検出部は、角速度センサ及び加速度センサを含むことを特徴とする請求項１乃至７のいずれか一に記載の携帯端末システム。
【請求項９】
互いに無線接続された第１及び第２の携帯端末による文字入力方法であって、
前記第１の携帯端末が備えるタッチパネルにより、操作入力を行うステップと、
前記第２の携帯端末の重力方向に対する傾斜量を検出するステップと、
前記タッチパネルによる前記操作入力と、前記第２の携帯端末の重力方向に対する傾斜量との組み合わせにより文字を選択入力する文字選択入力ステップと、
を含む携帯端末の文字入力方法。
【請求項１０】
前記文字選択入力ステップは、
前記タッチパネルによる操作入力により前記文字の子音を選択入力し、
前記第２の携帯端末の重力方向に対する傾斜量に基づいて、前記文字の母音を選択入力する、ことを特徴とする請求項９に記載の携帯端末の文字入力方法。
【発明の詳細な説明】
【技術分野】
【０００１】
本発明は、携帯端末システム、及び携帯端末の文字入力方法に関する。特に、本発明は、携帯端末に日本語文字を入力する際の操作性向上に関する。
【背景技術】
【０００２】
携帯端末は、普段持ち歩くことを想定しているので、機器を小さくする必要性から文字入力に使用される領域を小さくする必要がある。その結果、１つの文字入力キーに複数の文字が割り当てられることになり、文字入力の操作の回数が多くなるという問題がある。例えば、仮名文字を入力する場合、１つの文字入力キーに「あ」から「お」のあ行に属している５文字が割当てられる。そして、文字「あ」を入力する際には、上記文字入力キーを１回押下し、文字「い」を入力する際は上記文字入力キーを２回押下し、文字「う」を入力する際は上記文字入力キーを３回押下しなければならない。このように、携帯端末で文字入力を行う際に、文字によっては何度も入力キーを操作しなければならない。
【０００３】
上記した問題を解消するため、例えば、特許文献１には、傾きセンサによる傾き検出信号と、キー操作信号に基づいて、入力する文字を選択する携帯情報端末が開示されている。該携帯情報端末では、例えば１つのキーにあ行の５文字が割当てられ、「あ」から「お」の中からの選択は、携帯端末の傾きが、それぞれ「なし」「上」「右」「下」「左」のいずれの状態であるかによって行っている。また、別のキーにはか行の５文字が割り当てられ、「か」から「こ」の中からの選択は、携帯端末の傾きが、それぞれ「なし」「上」「右」「下」「左」のいずれの状態であるかによって行っている。このように、携帯端末は、「あ行」キー、「か行」キー、．．．、「わ行」キーの計１０個の入力キーを少なくとも有していればよく、それぞれの中の５文字の選択は携帯端末の傾きにより選択することができるから、少ない数の入力キーしか備えていない携帯端末であっても、１回のキー入力操作によって１つの文字を入力することが可能となる。
【先行技術文献】
【特許文献】
【０００４】
【特許文献１】特開２００８−２６９４６１号公報
【発明の概要】
【発明が解決しようとする課題】
【０００５】
以下の分析は、本発明の観点から与えられる。
【０００６】
特許文献１に記載された携帯端末によれば、上記したように、文字入力においてキー入力の回数を少なくすることができるという利点がある。しかしながら、携帯端末を傾ける操作により入力キーや入力確認画面が動いてしまうので、ユーザは、キー操作、入力された文字を確認する動作、及び確認後に入力文字を確定する動作がやりづらいという問題がある。
【０００７】
本発明は、携帯端末の傾き情報を用いて、少ないタッチ数で文字入力を行う携帯端末システムにおいて、表示画面を傾けずに文字入力を行うことが可能な操作性に優れた携帯端末システムを提供することを課題とする。
【課題を解決するための手段】
【０００８】
本発明の第１の視点による携帯端末システムは、互いに無線接続された第１及び第２の携帯端末を備えた携帯端末システムであって、前記第１の携帯端末は、操作入力を行うタッチパネル部と、前記タッチパネル部と互いに重ねて配置され、画面表示を行う表示部と、文字を選択入力する文字入力部と、を備える。また、前記第２の携帯端末は、前記第２の携帯端末の重力方向に対する傾斜量を検出する傾斜量検出部を備える。そして、前記第１の携帯端末は、前記傾斜量検出部による前記傾斜量を受信し、前記文字入力部は、前記タッチパネル部における操作入力と、受信した前記傾斜量との組み合わせにより文字を選択入力する。
【０００９】
本発明の第２の視点による携帯端末の文字入力方法は、互いに無線接続された第１及び第２の携帯端末による文字入力方法であって、以下のステップを含む。即ち、該文字入力方法は、前記第１の携帯端末が備えるタッチパネルにより、操作入力を行うステップを含む。また、該文字入力方法は、前記第２の携帯端末の重力方向に対する傾斜量を検出するステップを含む。さらに、該文字入力方法は、前記タッチパネルによる前記操作入力と、前記第２の携帯端末の重力方向に対する傾斜量との組み合わせにより文字を選択入力する文字選択入力ステップを含む。
【発明の効果】
【００１０】
本発明の携帯端末システムによれば、文字入力の際に、第２の携帯端末の重力方向に対する傾斜量を用いることにより、タッチパネルに対するタッチ数を少なくすることができると共に、第１の携帯端末１１を傾ける必要がないため、文字入力の操作性に優れた携帯端末システムを提供することができる。
【図面の簡単な説明】
【００１１】
【図１】本発明の実施形態の概略構成を示すブロック図である。
【図２】本発明の実施形態の概要を説明するためのフローチャートである。
【図３】本発明の第１の実施形態に係る携帯端末システムの構成を示すブロック図である。
【図４】本発明の第１の実施形態に係る携帯端末システムにおける傾斜量検出部を説明するための図である。
【図５】本発明の第１の実施形態に係る携帯端末システムにおける文字の母音入力を説明するための図である。
【図６】本発明の第１の実施形態に係る携帯端末システムにおける文字の拗音入力を説明するための図である。
【図７】本発明の第１の実施形態に係る携帯端末システムにおける文字の子音入力を説明するための図である。
【図８】本発明の第１の実施形態に係る携帯端末システムにおける予測変換領域及び文字入力確定領域を説明するための図である。
【図９】本発明の第２の実施形態に係る携帯端末システムにおける文字の母音入力を説明するための図である。
【図１０】本発明の第２の実施形態に係る携帯端末システムにおける文字の拗音入力を説明するための図である。
【発明を実施するための形態】
【００１２】
まず、本発明の実施形態の概要について説明する。なお、実施形態の概要の説明において付記した図面参照符号は専ら理解を助けるための例示であり、図示の態様に限定することを意図するものではない。
【００１３】
本発明の一実施形態における携帯端末システム１０は、図１に示すように、互いに無線接続された第１及び第２の携帯端末（１１、２１）を備えた携帯端末システムであって、第１の携帯端末１１は、操作入力を行うタッチパネル部１４と、タッチパネル部１４と互いに重ねて配置され、画面表示を行う表示部１６と、文字を選択入力する文字入力部１８と、を備える。また、第２の携帯端末２１は、第２の携帯端末２１の重力方向に対する傾斜量（図４のθｒ、θｐ等）を検出する傾斜量検出部２８を備える。そして、第１の携帯端末１１は、傾斜量検出部２８による傾斜量を受信し、文字入力部１８は、タッチパネル部１４における操作入力と、受信した傾斜量との組み合わせにより文字Ｃ１を選択入力する。
【００１４】
上記の構成により、文字入力の際に、第２の携帯端末２１の重力方向に対する傾斜量を用いることにより、第１の携帯端末１１のタッチパネル部１４のタッチ数を少なくすることができると共に、第１の携帯端末１１を傾ける必要がないため、文字入力の操作性に優れた携帯端末システム１０を提供することができる。
【００１５】
上記の携帯端末システム１０において、第２の携帯端末２１の重力方向に対する傾斜量は、重力方向に対する、第２の携帯端末２１のロール角（図４（Ｃ）のθｒ）としてもよい。
【００１６】
上記の携帯端末システム１０において、第２の携帯端末２１の重力方向に対する傾斜量は、水平面（図４の３２）に対する、第２の携帯端末２１のピッチ角（図４（Ｂ）のθｐ）としてもよい。
【００１７】
上記の携帯端末システム１０の文字入力部１８は、タッチパネル部１４における操作入力により文字の子音を選択入力し、第２の携帯端末の重力方向に対する傾斜量（図４のθｒ、θｐ等）に基づいて、文字の母音を選択入力するようにしてもよい。
【００１８】
上記の携帯端末システム１０において、表示部１６に、複数の子音に対応した複数のキー（図７の４０に相当する）を表示し、タッチパネル部１４において複数のキーから１つのキーを押下することにより、文字の子音を選択入力するようにしてもよい。
【００１９】
上記の携帯端末システム１０において、上記傾斜量検出部２８は、上記した第２の携帯端末の重力方向に対する傾斜量として、重力方向に対する、第２の携帯端末２１のロール角（図４（Ｃ）のθｒ）と、水平面（図４（Ｂ）の３２）に対する、第２の携帯端末２１のピッチ角（図４（Ｂ）のθｐ）と、を検出し、第１の携帯端末１１は、傾斜量検出部２８によるロール角（図４（Ｃ）のθｒ）とピッチ角（図４（Ｂ）のθｐ）を受信し、文字入力部１８は、タッチパネル部１４における操作入力により文字の子音を選択入力し、ロール角（図４（Ｃ）のθｒ）に基づいて文字の母音を選択入力し、ピッチ角（図４（Ｂ）のθｐ）に基づいて文字の拗音を選択入力するようにしてもよい。
【００２０】
上記の携帯端末システム１０において、上記傾斜量検出部２８は、上記した第２の携帯端末の重力方向に対する傾斜量として、重力方向に対する、第２の携帯端末２１のロール角（図４（Ｃ）のθｒ）と、水平面（図４（Ｂ）の３２）に対する、第２の携帯端末２１のピッチ角（図４（Ｂ）のθｐ）と、を検出し、第１の携帯端末１１は、傾斜量検出部２８によるロール角（図４（Ｃ）のθｒ）とピッチ角（図４（Ｂ）のθｐ）を受信し、文字入力部１８は、タッチパネル部１４における操作入力により文字の子音を選択入力し、ピッチ角（図４（Ｂ）のθｐ）に基づいて文字の母音を選択入力し、ロール角（図４（Ｃ）のθｒ）に基づいて文字の拗音を選択入力するようにしてもよい。
【００２１】
上記の携帯端末システム１０において、上記傾斜量検出部２８は、角速度センサ（図３の２５）及び加速度センサ（図３の２７）を含むようにしてもよい。
【００２２】
本発明の一実施形態における携帯端末の文字入力方法は、図１、２に示すように、互いに無線接続された第１及び第２の携帯端末（１１、２１）による文字入力方法であって、以下のステップを含む。即ち、該文字入力方法は、第１の携帯端末１１が備えるタッチパネル１４により、操作入力を行うステップ（Ｓ１）を含む。また、該文字入力方法は、第２の携帯端末２１の重力方向に対する傾斜量（図４のθｒ、θｐ等）を検出するステップ（Ｓ２）を含む。さらに、該文字入力方法は、上記したタッチパネル１４による操作入力と、上記した第２の携帯端末２１の重力方向に対する傾斜量との組み合わせにより文字を選択入力する文字選択入力ステップ（Ｓ３）を含む。
【００２３】
上記の携帯端末の文字入力方法において、上記文字選択入力ステップ（Ｓ３）は、タッチパネル１４による操作入力により文字の子音を選択入力し、第２の携帯端末２１の重力方向に対する傾斜量（図４のθｒ、θｐ等）に基づいて、文字の母音を選択入力するようにしてもよい。
【００２４】
［第１の実施形態］
（第１の実施形態の構成）
本発明の第１の実施形態について、図３〜８を参照して詳細に説明する。図３は第１の実施形態に係る携帯端末システム１０の構成を示すブロック図である。図３に示すように、携帯端末システム１０は、第１の携帯端末１１と、第２の携帯端末２１とを備えており、ユーザは、上記２台の携帯端末を使用して、文字入力を行う。第１及び第２の携帯端末１１、２１は、どちらもスマートフォン型の携帯端末である。左手に第１の携帯端末１１を、右手に第２の携帯端末２１を保持してもよいし、或いは、右手に第１の携帯端末１１を、左手に第２の携帯端末２１を保持するようにしてもよい。また、第１の携帯端末１１は、後述するように傾ける必要がないので、机上に置いて右手（左手）でタッチし、第２の携帯端末２１を左手（右手）に保持した状態で操作するようにしてもよい。
【００２５】
第１及び第２の携帯端末１１、２１は、それぞれ無線通信部１９、２９を備え、それらを無線接続により相互に通信可能な状態にしておく。無線通信部１９、２９としては、例えば、Ｂｌｕｅｔｏｏｔｈ（登録商標）等が好適に使用される。
【００２６】
図３は、主として、文字入力の機能を実行するのに必要な構成要素を示しているが、これらの構成要素以外に、各携帯端末は、通常の携帯端末が有する電話、電子メール、およびデータ通信などの機能を実現するための、アンテナ、基地局との無線通信を行うための無線送受信回路、音声処理回路、マイク、スピーカなどの不図示の構成要素を有している。
【００２７】
第１の携帯端末１１は、図３に示すように、ユーザが操作入力を行うタッチパネル部１４と、タッチパネル部１４の下部に重ねて配置され、画面表示を行う表示部１６とを備えている。タッチパネル部１４としては、静電容量方式や抵抗膜方式などのタッチパネルが使用される。また、表示部１６としては、ＬＣＤ（Ｌｉｑｕｉｄ  Ｃｒｙｓｔａｌ  Ｄｉｓｐｌａｙ）方式などが使用される。
【００２８】
また、図３において、制御部１３は、不図示のＣＰＵ（Ｃｅｎｔｒａｌ  Ｐｒｏｃｅｓｓｉｎｇ  Ｕｎｉｔ）を備え、第１の携帯端末１１の各部を制御している。制御部１３のＣＰＵが実行するプログラム及びデータは、記憶部１２に格納されており、制御部１３により適宜読み出されて、実行される。
【００２９】
図３に示す文字入力部１８は、本発明の特徴である文字入力の機能を実現するためのプログラムである。文字入力部１８は、タッチパネル部１４の操作入力による文字の子音の選択入力（図３のＣ２）と、第２の携帯端末の重力方向に対する傾斜量（図３のθｒ、θｐ）とを入力し、選択入力された文字Ｃ１を出力する。
【００３０】
図３において、もう一方の、第２の携帯端末２１は、タッチパネル部２４と、表示部２６と、制御部２３と、記憶部２２とを備えている。タッチパネル部２４、表示部２６、制御部２３、及び記憶部２２は、第１の携帯端末１１におけるタッチパネル部１４、表示部１６、制御部１３、及び記憶部１２とそれぞれ同様であるため、説明は省略する。また、第２の携帯端末２１は、さらに、第２の携帯端末２１の重力方向に対する傾斜量を検出する傾斜量検出部２８を備えている。傾斜量検出部２８は、角速度センサ２５及び加速度センサ２７により構成される（詳細は後述）。傾斜量検出部２８は、第２の携帯端末２１の重力方向に対する傾斜量として、第２の携帯端末２１の筐体の主面のロール角θｒとピッチ角θｐとを算出し、制御部２３に出力する。制御部２３は、無線通信部２９を介して、第１の携帯端末１１に、上記のロール角θｒとピッチ角θｐとを送信する。
【００３１】
次に、図４を参照しながら、図３の傾斜量検出部２８が検出するロール角θｒとピッチ角θｐについて説明する。図４は、第１の実施形態に係る携帯端末システム１０における傾斜量検出部２８を説明するための図である。図４（Ａ）は、第２の携帯端末の筐体の主面３０と重力方向の関係を示している。第２の携帯端末の筐体の主面３０は、第２の携帯端末２１の表示部２６及びタッチパネル部２４が配されている側の面である。図４（Ａ）に示すように、ＸＹＺ直交座標を、重力方向が−Ｚ方向になるように定義すると、水平面はＸＹ平面となる。そして、図４（Ａ）に示すように、第２の携帯端末の筐体の主面３０が、ＺＸ平面に平行で、且つ、第２の携帯端末の天地方向３４が重力方向と平行である場合を傾斜量の基準とする（具体的には、後述するように、ロール角θｒ、ピッチ角θｐが、それぞれ、０度、９０度の場合を基準とする）。
【００３２】
次に、第２の携帯端末２１が、図４（Ａ）の状態から傾いた場合のピッチ角θｐとロール角θｒとをそれぞれ図４（Ｂ）、図４（Ｃ）のように定義する。まず、ピッチ角θｐは、図４（Ｂ）に示すように、第２の携帯端末の筐体の主面３０が水平面（ＸＹ平面）となす角度である。特に、ピッチ角θｐ＝９０度の場合が、図４（Ａ）の状態に相当する。
【００３３】
一方、ロール角θｒは、図４（Ｃ）に示すように、第２の携帯端末の天地方向３４が重力方向となす角度である。特に、ロール角θｒ＝０度の場合が、図４（Ａ）の状態に相当する。
【００３４】
以上のように定義されたロール角θｒ、ピッチ角θｐが、傾斜量検出部２８で検出される。尚、傾斜量検出部２８の角速度センサ２５、加速度センサ２７で定義される座標系が、図４（Ａ）のＸＹＺ座標系と一致していない場合には、傾斜量検出部２８が出力するロール角とピッチ角が、直接、第２の携帯端末の筐体の主面３０に対するロール角θｒとピッチ角θｐにならない場合がある。そのような場合には、上記の座標系のずれに応じて、傾斜量検出部２８が出力するロール角、ピッチ角を補正するようにしてもよい。但し、ロール角θｒ、ピッチ角θｐは、ユーザが、第２の携帯端末２１を左右に傾ける感覚と、前後に傾ける感覚に略一致していればよく、厳密である必要はない。
【００３５】
次に、図５を参照しながら、第１の実施形態における文字の母音入力について説明する。図５は、第１の実施形態に係る携帯端末システム１０における文字の母音入力を説明するための図である。図５に示すように、携帯端末システム１０では、第２の携帯端末２１のロール角θｒにより、母音を選択入力する。図５において、ロール角θｒが、０度、−４５度、＋４５度、−９０度、＋９０度の場合を、それぞれ母音「ａ」、「ｉ」、「ｕ」、「ｅ」、「ｏ」の中心位置に割り付けた場合を示している。このように割り付けることにより、−２２．５≦θｒ＜＋２２．５の場合は、母音「ａ」が選択入力される。また、−６７．５≦θｒ＜−２２．５の場合は、母音「ｉ」が選択入力される。また、＋２２．５≦θｒ＜＋６７．５の場合は、母音「ｕ」が選択入力される。また、θｒ＜−６７．５の場合は、母音「ｅ」が選択入力される。また、θｒ≧＋６７．５の場合は、母音「ｏ」が選択入力される。
【００３６】
次に、図６を参照しながら、第１の実施形態における文字の拗音入力について説明する。ここで、拗音とは、日本語の音節のうち、「きゃ」、「しゅ」、「ちょ」、「にょ」のように二次の仮名で書き表すものである。例えば、か「ｋａ」の子音と母音の間に、「y」を入れて、きゃ「ｋｙａ」となる類のものである。ローマ字入力の際には、子音と母音の間に、「ｙ」または「ｈ」を入れることで、拗音入力が行われる。従って、拗音入力としては、「なし」、「ｙ」、「ｈ」を選択入力するように構成すればよい。
【００３７】
図６は、第１の実施形態に係る携帯端末システム１０における文字の拗音入力を説明するための図である。図６に示すように、携帯端末システム１０では、第２の携帯端末２１のピッチ角θｐにより、拗音を選択入力する。図６において、ピッチ角θｐが、９０度、＋４５度、＋１３５度の場合を、それぞれ「なし」「ｙ」、「ｈ」の中心位置に割り付けた場合を示している。このように割り付けることにより、６７．５≦θｐ＜１１２．５の場合は、拗音「なし」が選択入力される。また、θｐ＜６７．５の場合は、拗音「ｙ」が選択入力される。また、θｐ≧１１２．５の場合は、拗音「ｈ」が選択入力される。
【００３８】
次に、図７を参照しながら、第１の携帯端末１１の表示画面４２の構成について説明する。図７は、第１の実施形態に係る携帯端末システム１０における文字の子音入力を説明するための図である。図７に示すように、第１の携帯端末１１の表示画面４２の中に、子音入力キーボード４０を表示する。ユーザは、この子音入力キーボード４０をタッチすることにより、子音を選択入力する。子音入力キーボード４０は、本発明の文字入力を行う際に表示するソフトウェアキーボードであり、図７に示すように、子音からなる１７個のキーを有している。子音入力キーボード４０は、母音である「ａ」，「ｉ」，「ｕ」，「ｅ」，「ｏ」等が不要であるため、通常のｑｗｅｒｔｙ配列のキーボードに比べてキー数を少なくすることができるので、１キー当たりの面積を大きくすることができ、ユーザの操作性を向上させることができる。
【００３９】
また、第１の携帯端末１１の表示画面４２の上部には、入力文字確認領域４１を設けて、選択入力した文字を表示し、ユーザは、入力文字確認領域４１を見ながら操作をする。角度を変化させて母音と拗音を選択入力する操作は、第２の携帯端末２１の側で行い、第１の携帯端末１１は動かす必要がなく、且つ、ユーザは、入力文字確認領域４１のみに視線を集中すればよいので、操作性の良い文字入力の環境をユーザに提供することができる。
【００４０】
次に、図８を参照しながら、第２の携帯端末２１の表示画面５２の構成について説明する。図８は、携帯端末システム１０における予測変換領域５０及び文字入力確定領域５１を説明するための図である。図８において、予測変換領域５０は、ユーザによる入力をサポートするために確保された領域であり、例えば、図８に示すように、「こん」と入力した所で、ユーザが入力しようとしている文字列を予測し、候補として、「こんにちは」「こんばんは」「今度」「今週」「今晩」などが、予測変換領域５０に表示される。１台の携帯端末で文字入力を行う場合には、このような予測変換領域は、通常、ソフトウェアキーボードに隣接して設けられるが、本実施形態では、第１の携帯端末１１の表示画面４２、第２の携帯端末２１の表示画面５２に、それぞれ、子音入力キーボード４０と、予測変換領域５０とを、別々に設けることにより、それぞれの領域を広く確保することを実現している。
【００４１】
また、図８において、文字入力確定領域５１は、ユーザが、子音、拗音、母音を選択入力することによって、入力した文字を確定するための領域である。ユーザは、文字入力確定領域５１をタッチすることにより、入力した文字を確定することができる。文字入力確定領域５１は、ある程度広い面積を確保することにより、ユーザは、視線を第１の携帯端末１１の表示画面４２に置いたままで、文字入力確定領域５１をタッチすることができる。尚、文字入力確定領域５１は、第１の携帯端末１１の表示画面４２の側に設けるようにしてもよい。
【００４２】
次に、図３に戻り、第２の携帯端末２１の傾斜量検出部２８による傾斜量算出方法について説明する。傾斜量検出部２８は、角速度センサ２５と、加速度センサ２７を備えており、上記の２つのセンサにより、重力方向に対する傾斜量であるロール角θｒとピッチ角θｐとを算出する。まず、電源オン後に、第２の携帯端末２１が静止した状態であることを検知して、加速度センサ２７により、ロール角θｒとピッチ角θｐを算出する。その後、ユーザが第２の携帯端末２１を振ることにより傾斜量が変化した場合には、傾斜量の変化を角速度センサ２５により検出する。具体的には、角速度センサ２５による角速度を時間で積算することにより、傾斜量の変化を得る。そして、静止状態の傾斜量に対して、上記の傾斜量の変化を加算することにより、変化後のロール角θｒとピッチ角θｐを算出することができる。
【００４３】
また、第２の携帯端末２１の角速度が所定の閾値より小さく、静止状態とみなされる場合には、適宜、加速度センサ２７により、傾斜量（ロール角θｒとピッチ角θｐ）を更新して、誤差の蓄積をキャンセルするようにしている。
【００４４】
（第１の実施形態の動作）
次に、第１の実施形態の動作について説明する。予め、無線通信部１９、２９により、第１及び第２の携帯端末１１、２１を、互いに通信可能な状態に設定する。そして、第１の実施形態による文字入力システムを起動すると、第１の携帯端末の表示画面４２は、図７に示すように、ユーザによる文字入力が可能な状態になる。また、第２の携帯端末の表示画面５２は、図８に示す状態（但し、予測変換領域５０内は、未表示の状態）になる。ここで、ユーザによる文字入力の一例として、「ち」「ぢ」「い」「ぢぃ」「でぃ」の文字を順次入力する場合について説明する。
【００４５】
まず、「ち」を入力する場合の動作について説明する。子音入力キーボード４０で、ユーザが「ｔ」をタッチする。タッチした時点では、入力文字確認領域４１には、「た」（子音「ｔ」、母音「ａ」に相当）が表示される。その後、ユーザが第２の携帯端末２１を左に４５度傾けると、傾斜量検出部２８は、ロール角θｒ＝−４５度、ピッチ角θｐ＝９０度を検出し、検出した傾斜量を文字入力部１８に送信する。これにより、入力文字確認領域４１の文字が「た」から「ち」（子音「ｔ」、母音「ｉ」に相当）に変化する。そして、ユーザが文字入力確定領域５１をタッチすることにより、入力した文字（図３のＣ１）が「ち」に確定する。
【００４６】
次に、「ぢ」を入力する場合の動作について説明する。子音入力キーボード４０で、ユーザが「ｄ」をタッチする。タッチした時点では、入力文字確認領域４１には、「だ」（子音「ｄ」、母音「ａ」に相当）が表示される。その後、ユーザが第２の携帯端末２１を左に４５度傾けると、傾斜量検出部２８は、ロール角θｒ＝−４５度、ピッチ角θｐ＝９０度を検出し、検出した傾斜量を文字入力部１８に送信する。これにより、入力文字確認領域４１の文字が「だ」から「ぢ」（子音「ｄ」、母音「ｉ」に相当）に変化する。そして、ユーザが文字入力確定領域５１をタッチすることにより、入力した文字（図３のＣ１）が「ぢ」に確定する。
【００４７】
このように、子音と母音からなる「ち」「ぢ」を入力する場合に、第１の実施形態によれば、子音入力キーボード４０のタッチと、文字入力確定領域５１のタッチとによる２タッチで選択入力することができる。
【００４８】
次に、「い」を入力する場合の動作について説明する。子音入力キーボード４０による入力は行わずに（この状態では、入力文字確認領域４１には、「あ」が表示されている）、ユーザが第２の携帯端末２１を左に４５度傾けると、傾斜量検出部２８は、ロール角θｒ＝−４５度、ピッチ角θｐ＝９０度を検出し、検出した傾斜量を文字入力部１８に送信する。これにより、入力文字確認領域４１の文字が「あ」から「い」に変化する。そして、ユーザが文字入力確定領域５１をタッチすることにより、入力した文字（図３のＣ１）が「い」に確定する。
【００４９】
このように、母音のみからなる文字を入力する場合には、子音入力キーボード４０のタッチが不要になるので、文字入力をさらに迅速化することができる。
【００５０】
次に、「ぢぃ」を入力する場合の動作について説明する。子音入力キーボード４０で、ユーザが「ｄ」をタッチする。タッチした時点では、入力文字確認領域４１には、「だ」（子音「ｄ」、母音「ａ」に相当）が表示される。その後、ユーザが第２の携帯端末２１を左に４５度傾けた上に、背面方向に４５度傾けると、傾斜量検出部２８は、ロール角θｒ＝−４５度、ピッチ角θｐ＝４５度を検出し、検出した傾斜量を文字入力部１８に送信する。これにより、入力文字確認領域４１の文字が「だ」から「ぢぃ」（子音「ｄ」、拗音「ｙ」、母音「ｉ」に相当）に変化する。そして、ユーザが文字入力確定領域５１をタッチすることにより、入力した文字（図３のＣ１）が「ぢぃ」に確定する。
【００５１】
次に、「でぃ」を入力する場合の動作について説明する。子音入力キーボード４０で、ユーザが「ｄ」をタッチする。タッチした時点では、入力文字確認領域４１には、「だ」（子音「ｄ」、母音「ａ」に相当）が表示される。その後、ユーザが第２の携帯端末２１を左に４５度傾けた上に、前面方向に４５度傾けると、傾斜量検出部２８は、ロール角θｒ＝−４５度、ピッチ角θｐ＝１３５度を検出し、検出した傾斜量を文字入力部１８に送信する。これにより、入力文字確認領域４１の文字が「だ」から「でぃ」（子音「ｄ」、拗音「ｈ」、母音「ｉ」に相当）に変化する。そして、ユーザが文字入力確定領域５１をタッチすることにより、入力した文字（図３のＣ１）が「でぃ」に確定する。
【００５２】
このように、拗音「ｙ」「ｈ」を含む「ぢぃ」「でぃ」を入力する場合においても、子音入力キーボード４０のタッチと、文字入力確定領域５１のタッチとによる２タッチで選択入力することができる。
【００５３】
以上説明したように、第１の実施形態に係る携帯端末システム１０によれば、以下の効果が得られる。特許文献１に記載された文字入力の方法では、携帯端末を傾けながら、キー入力をすると共に、入力した画面を確認する必要があり、動いている画面を見ながらの操作はユーザの負担となるという問題があった。そこで、第１の実施形態に係る携帯端末システム１０によれば、携帯端末を２台使用し、第１の携帯端末１１では、表示画面４２を動かさずに、子音入力のタッチと、入力文字確認領域４１による確認作業を行い、第２の携帯端末２１を傾けることにより母音、拗音の選択入力を行うようにしたので、ユーザは、動きのない第１の携帯端末の表示画面４２を見て操作することできるので、操作性が大幅に向上するという利点が得られる。
【００５４】
また、第１の携帯端末１１での選択入力が子音のみになるので、入力する文字を検索する時間が短縮できると共に、子音入力キーボード４０の１つの文字のタッチ領域を広く取ることができるという効果が得られる。
【００５５】
また、入力サポートのための予測変換領域５０等は、第２の携帯端末の表示画面５２のほうに、配置することができるので、第１の携帯端末の表示画面４２において、子音入力キーボード４０をより広い領域に割り当てることができる。それにより、さらに、子音入力キーボード４０の１つの文字のタッチ領域を広く取ることができるという効果が得られる。
【００５６】
また、第１の実施形態に係る携帯端末システム１０によれば、第２の携帯端末２１の傾斜量として、ロール角θｒとピッチ角θｐを検出し、それぞれ、母音入力と拗音入力に対応させるようにしたから、拗音を含む文字を入力する場合においても、子音入力キーボード４０のタッチと、文字入力確定領域５１のタッチとによる２タッチで選択入力することができ、拗音を含む文字の文字入力を迅速化することができるという効果が得られる（通常のローマ字入力で、拗音を含む文字を入力するには、３文字分を入力することが必要である）。
【００５７】
また、第１の実施形態に係る携帯端末システム１０によれば、母音のみからなる文字を入力する場合には、子音入力キーボード４０のタッチが不要になるので、文字入力をさらに迅速化することができるという効果が得られる。
【００５８】
［第２の実施形態］
次に、第２の実施形態について、図９〜１０を参照しながら詳細に説明する。図９は、第２の実施形態に係る携帯端末システムにおける文字の母音入力を説明するための図である。また、図１０は、第２の実施形態に係る携帯端末システムにおける文字の拗音入力を説明するための図である。図９〜１０を図５〜６（第１の実施形態における母音、拗音入力）と比較すると、分かるように、図９において、第２の携帯端末２１のロール角θｒを母音入力に使用し、図１０において、第２の携帯端末２１のピッチ角θｐを拗音入力に使用している。このように、第２の実施形態では、ロール角θｒとピッチ角θｐの役割を、第１の実施形態と逆にしている。
【００５９】
図９において、第２の携帯端末の筐体の主面３０と水平面（図４のＸＹ平面）のなす角である、ピッチ角θｐを母音入力として使用する。第１の実施形態では、ピッチ角θｐ＝９０度の場合（図４（Ａ）の状態）を基準位置としていたが、第２の実施形態では、ピッチ角θｐ＝θ３の位置を基準とし、母音「ａ」にしている。また、母音「ｉ」「ｕ」「ｅ」「ｏ」の中心位置は、ピッチ角θｐが、それぞれ、θ４、θ２、θ５、θ１になるように設定している。これらのθ１〜５の値は、固定値を設定してもよいし、ユーザ毎に操作し易い角度を設定するようにしてもよい。
【００６０】
上記したθ１〜５の設定により、（θ２＋θ３）／２≦θｐ＜（θ３＋θ４）／２の場合は、母音「ａ」が選択入力される。また、（θ３＋θ４）／２≦θｐ＜（θ４＋θ５）／２の場合は、母音「ｉ」が選択入力される。また、（θ１＋θ２）／２≦θｐ＜（θ２＋θ３）の場合は、母音「ｕ」が選択入力される。また、θｐ≧（θ４＋θ５）／２の場合は、母音「ｅ」が選択入力される。また、θｐ＜（θ１＋θ２）／２の場合は、母音「ｏ」が選択入力される。
【００６１】
また、図１０において、第２の携帯端末の天地方向３４と重力方向のなす角である、ロール角θｒを拗音入力として使用する。拗音「なし」「ｙ」「ｈ」の中心位置は、ロール角θｒが、それぞれ、０度、θ６、−θ６になるように設定している。θ６の値は、固定値を設定してもよいし、ユーザ毎に操作し易い角度を設定するようにしてもよい。
【００６２】
上記したθ６の設定により、−θ６／２≦θｒ＜θ６／２の場合には、拗音「なし」が選択入力される。また、θｒ≧θ６／２の場合には、拗音「ｙ」が選択入力される。また、θｒ＜−θ６／２の場合には、拗音「ｈ」が選択入力される。
【００６３】
また、図９、１０で示したように母音入力と、拗音入力が行われるように、第２の実施形態において、図３の文字入力部１８の処理内容を、第１の実施形態に対して変更する。具体的には、ロール角θｒとピッチ角θｐの役割を第１の実施形態と逆になるようにし、さらに、θ１〜５（図９）、θ６（図１０）を変数とする変更を行う。
【００６４】
以上説明したように、第２の実施形態に係る携帯端末システムのように、第２の携帯端末のロール角θｒとピッチ角θｐの役割を、第１の実施形態に係る携帯端末システムと逆にしてもよく、第１の実施形態と同様な効果が得られる。また、母音入力、拗音入力の角度の設定をユーザが操作し易いように設定することで、第１の実施形態に対してさらに、操作性を向上させた携帯端末システムを提供することができる。
【００６５】
尚、各実施形態において、第１及び第２の携帯端末（１１、２１）は、いずれもタッチパネル部を備えたスマートフォン型の携帯端末である場合について説明したが、第２の携帯端末２１は、タッチパネル方式ではなく、ハードキーで入力するタイプの携帯端末であってもよい。
【００６６】
また、各実施形態において、第２の携帯端末２１の傾斜量により、母音入力と拗音入力を行うように構成しているが、母音入力のみを行うように構成してもよい。
【００６７】
尚、各実施形態で説明した制御部（１３、２３）が行う処理は、制御部（１３、２３）が備えたコンピュータによって呼び出されて実行される。例えば、制御部１３が行う処理には、図３の文字入力部１８の処理（図２のステップＳ３）等が含まれる。これらのプログラムは、ネットワークを介してダウンロードするか、或いは、プログラムを記憶した記憶媒体を用いて、更新することができる。
【産業上の利用可能性】
【００６８】
本発明を２台の携帯端末からなる携帯端末システムに適用することにより、携帯端末への文字入力の操作性を向上させることができる。
【００６９】
なお、本発明の全開示（請求の範囲及び図面を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００７０】
１０：携帯端末システム
１１：第１の携帯端末
１２、２２：記憶部
１３、２３：制御部
１４、２４：タッチパネル部（タッチパネル）
１６、２６：表示部
１８：文字入力部
１９、２９：無線通信部
２１：第２の携帯端末
２５：角速度センサ
２７：加速度センサ
２８：傾斜量検出部
３０：筐体の主面
３１：筐体の側面
３２：水平面（ＸＹ平面）
３４：第２の携帯端末の天地方向
４０：子音入力キーボード
４１：入力文字確認領域
４２、５２：表示画面
５０：予測変換領域
５１：文字入力確定領域
Ｃ１：文字
Ｃ２：文字の子音
θｒ：（第２の携帯端末の筐体の主面の）ロール角
θｐ：（第２の携帯端末の筐体の主面の）ピッチ角
【図１】
2013251866.tif 000003
【図２】
2013251866.tif 000004
【図３】
2013251866.tif 000005
【図４】
2013251866.tif 000006
【図５】
2013251866.tif 000007
【図６】
2013251866.tif 000008
【図７】
2013251866.tif 000009
【図８】
2013251866.tif 000010
【図９】
2013251866.tif 000011
【図１０】
2013251866.tif 000012